(57)【要約】【課題】同時に２箇所の指示位置を指示入力し、それぞれの指示位置を表す２種類の指示位置情報を出力することが可能な光学式タッチパネル入力装置を提供する。【解決手段】第１指示位置のＸ、Ｙ座標を検出した後、第１指示位置で遮断されたＸ、Ｙ走査光路を除くＸ、Ｙ走査光路の遮断位置から、第２指示位置を検出し、第１指示位置と第２指示位置の２種類の指示位置情報を同時に出力する。【選択図】  図３
2004318257.tif 000002
【特許請求の範囲】
【請求項１】
指示入力エリア（９Ａ）に、Ｘ方向に所定の間隔を隔てて複数のＸ走査光路を形成し、いずれかのＸ走査光路が指示入力により遮断されることから、指示入力エリア（９Ａ）における指示位置のＸ座標を検出するＸ座標検出部（７、８）と、
指示入力エリア（９Ａ）に、Ｘ方向と直交するＹ方向に所定の間隔を隔てて複数のＹ走査光路を形成し、いずれかのＹ走査光路が指示入力により遮断されることから、指示入力エリア（９Ａ）における指示位置のＹ座標を検出するＹ座標検出部（７、８）と、
単一出力モードと複合出力モードを選択するモード選択手段と、
単一出力モードで、第１指示位置のＸ座標とＹ座標を表す第１指示位置情報を出力し、複合出力モードで、第１指示位置情報に加えて、第１指示位置と異なる第２指示位置のＸ座標とＹ座標を表す第２指示位置情報を出力する出力手段とを備えた光学式タッチパネル入力装置であって、
Ｘ座標検出部（７、８）とＹ座標検出部（７、８）は、モード選択手段が複合出力モードを選択している場合に、第１指示位置で遮断されているＸ走査光路とＹ走査光路を除き、遮断されるＸ走査光路とＹ走査光路から第２指示位置のＸ座標とＹ座標を検出し、出力手段から出力する第２指示位置情報とすることを特徴とする光学式タッチパネル入力装置。
【請求項２】
指示入力エリア（９Ａ）に、それぞれ所定の出力データが対応づけられたデータ変換エリア（１３）が設定され、
指示位置がデータ変換エリア（１３）にあるときに、指示位置を表す第１指示入力情報若しくは第２指示入力情報を、そのデータ変換エリア（１３）に対応づけられた出力データに変換して出力手段から出力することを特徴とする請求項１に記載の光学式タッチパネル入力装置。
【請求項３】
モード選択手段は、第１指示位置が、指示入力エリア（９Ａ）内に予め設定した二重押しエリア（１０）にあるときに複合出力モードとし、二重押しエリア（１０）外にあるときに単一出力モードとすることを特徴とする請求項１又は２のいずれか１項に記載の光学式タッチパネル入力装置。
【請求項４】
二重押しエリア（１０）内に設定された第１データ変換エリア（１３）に対応づけられた第１出力データと、第１データ変換エリア（１３）のＸ方向若しくはＹ方向で、二重押しエリア（１０）外に設定された第２データ変換エリア（１３）に対応づけられた第２出力データとは、出力データを処理するプログラムで、同時に出力することが禁止される出力データであることを特徴とする請求項３に記載の光学式タッチパネル入力装置。
【請求項５】
（ａ）指示入力エリア（９Ａ）に、Ｘ方向に所定の間隔を隔てて複数のＸ走査光路とＸ方向と直交するＹ方向に所定の間隔を隔てて複数のＹ走査光路を形成し、
（ｂ）いずれかのＸ走査光路とＹ走査光路が指示入力により遮断されることから、指示入力エリア（９Ａ）における第１指示位置のＸ座標とＹ座標を検出し、
（ｃ）第１指示位置が、指示入力エリア（９Ａ）内に予め設定した二重押しエリア（１０）にあるかどうかを判別し、
（ｄ）第１指示位置情報が二重押しエリア（１０）内にあるときに、第１指示位置で遮断されているＸ走査光路とＹ走査光路を除き、遮断されるＸ走査光路とＹ走査光路から第２指示位置のＸ座標とＹ座標を検出し、第１指示位置のＸ座標とＹ座標を表す第１指示位置情報と、第２指示位置のＸ座標とＹ座標を表す第２指示位置情報を同時に出力し、
（ｅ）第１指示位置が二重押しエリア（１０）外の指示入力エリア（９Ａ）にあるときに、第１指示位置のＸ座標とＹ座標を表す第１指示位置情報のみを出力することを特徴とする光学式タッチパネルの出力方法。
【発明の詳細な説明】
【０００１】
【発明の属する技術分野】
本発明は、直接操作パネルに触れることなく、指示位置を表す指示位置情報を入力する光学式タッチパネル入力装置とその出力方法に関し、更に詳しくは、指示入力エリアの２箇所の指示位置を同時に入力操作し、それぞれの指示位置を表す指示位置情報を出力する光学式タッチパネル入力装置とその出力方法に関する。
【０００２】
【従来の技術】
従来、ＣＲＴや液晶表示装置で構成された表示パネルと組み合わせて、その表示への指示入力を検出する為の光学式タッチパネル入力装置が知られている（例えば、特許文献１参照）。
【０００３】
【特許文献１】
特公平７−８２４１９号（第２頁、第１図）
【０００４】
以下、この種の従来の光学式タッチパネル入力装置１００を図７で説明すると、光学式タッチパネル入力装置１００は、矩形枠１０１内の直交するＸ、Ｙ方向の２辺に沿って等間隔に取り付けられた複数の発光素子１０４、１０４・・を備え、これらの発光素子１０４を順次発光させることにより、矩形枠１０１内の指示入力エリア１０１Ａに格子状のＸ走査光路とＹ走査光路を形成している。
【０００５】
矩形枠１０１の指示入力エリア１０１Ａを挟み個々の発光素子１０４と対向する部位には、複数の受光素子１０５、１０５・・が取り付けられ、対応する発光素子１０４から発光される光ビームを受光するようになっている。
【０００６】
矩形枠１０１の指示入力エリア１０１Ａ内方には、アイコン等の表示１０２を表示する液晶表示パネル１０３が配置され、操作者はこの表示１０２を目安に、光学式タッチパネル入力装置１００に対する指示入力を行う。
【０００７】
操作者がペン若しくは指を指示入力エリア１０１Ａ内の所定の指示入力位置へ置くと、その指示入力位置を通過する光路が遮断されるので、その光路上の受光素子１０５が、対となる発光素子１０４の発光タイミングで受光せず、これにより指示入力位置のＸ、Ｙ座標が検出され、指示位置のＸ、Ｙ座標を表す指示位置情報が出力される。
【０００８】
光学式タッチパネル入力装置１００は、指示入力を検出した後に、操作者が指示入力エリア１０１Ａの指示位置からペン若しくは指を除いたこと検出すると、再び指示入力エリア１０１Ａに上述のＸ走査光路とＹ走査光路を形成し、新たな指示位置を検出する。
【０００９】
光学式タッチパネル入力装置１００の表示１０２に対応させて、その上方の指示入力エリア１０１Ａに、データ変換エリア（破線で表示）１０６が設定されている。データ変換エリア１０６には、表示１０２内容に合わせた所定の出力データ（制御命令）が対応づけられ、そのデータ変換エリア内のＸ、Ｙ座標を表す指示位置情報が出力されると、対応づけられた出力データが出力されるようになっている。
【００１０】
従って、操作者は、所定の表示１０２の表示位置、つまりデータ変換エリア１０６内を指示入力すると、その表示１０２が表す所定の出力データが出力される。
【００１１】
この光学式タッチパネル入力装置１００によれば、直接操作面に触れることなく指示入力を行うことができるので、不特定多数の人が指示入力を行う入力装置であっても衛生的で、また、指示位置情報を検出するために、可動部品を設ける必要がないので、耐久性にすぐれ、内部の回路部品等を外部から完全に遮断でき、塵埃や水滴の侵入を防ぐことができる。
【００１２】
【発明が解決しようとする課題】
【００１３】
従来の光学式タッチパネル入力装置１００では、Ｘ、Ｙ方向の光路が遮断され、指示入力を検知してから、その遮断が解除、すなわち指示入力操作の解除を検知するまでの一回の操作で、指示入力エリア１０１Ａの１箇所の指示位置についてその指示位置情報を出力するものであることから、２箇所以上の指示位置を同時に指示入力して２種類の指示位置情報や出力データを出力するような操作は誤操作と判定され、指示位置情報や出力データは出力されなかった。
【００１４】
一方で、一回の指示入力操作で、２種類の指示位置情報を同時に出力できれば、操作が簡略化され、また、２種類の同時に出力される出力データを組み合わせて新たなデータや命令を作成することが可能となり、限られたデータ変換エリアでより多種類のデータや命令を出力できるので、２箇所の指示位置を同時に入力することが可能な光学式タッチパネル入力装置の出現が強く望まれていた。
【００１５】
しかしながら、従来の光学式タッチパネル入力装置１００では、指示入力エリア１０１Ａの２箇所以上の指示位置を同時に指示入力すると、通常はＸ、Ｙ方向のそれぞれで２箇所の離れた位置で光路が遮断されることとなり、遮断位置から推定する指示位置は４箇所となることから、２箇所の指示位置を特定できないという問題があった。
【００１６】
例えば、図７に示すように、指示入力エリア１０１Ａの「ａ」と「ｂ」の２箇所を同時に指示入力したとすると、Ｘ方向でＸ２、Ｘ７の光路が遮断され、Ｙ方向でＹ１、Ｙ６の光路が遮断されるが、「ｃ」と「ｄ」の２箇所を指示入力した場合にも同じ位置の光路が遮断されるので、２箇所の指示位置を特定しその位置を表す指示位置情報を出力することができなかった。
【００１７】
本発明は、このような従来の問題点を考慮してなされたものであり、同時に２箇所の指示位置を指示入力し、それぞれの指示位置を表す２種類の指示位置情報を出力することが可能な光学式タッチパネル入力装置を提供することを目的とする。
【００１８】
【課題を解決するための手段】
【００１９】
請求項１の光学式タッチパネル入力装置は、指示入力エリアに、Ｘ方向に所定の間隔を隔てて複数のＸ走査光路を形成し、いずれかのＸ走査光路が指示入力により遮断されることから、指示入力エリアにおける指示位置のＸ座標を検出するＸ座標検出部と、指示入力エリアに、Ｘ方向と直交するＹ方向に所定の間隔を隔てて複数のＹ走査光路を形成し、いずれかのＹ走査光路が指示入力により遮断されることから、指示入力エリアにおける指示位置のＹ座標を検出するＹ座標検出部と、単一出力モードと複合出力モードを選択するモード選択手段と、単一出力モードで、第１指示位置のＸ座標とＹ座標を表す第１指示位置情報を出力し、複合出力モードで、第１指示位置情報に加えて、第１指示位置と異なる第２指示位置のＸ座標とＹ座標を表す第２指示位置情報を出力する出力手段とを備えた光学式タッチパネル入力装置であって、
Ｘ座標検出部とＹ座標検出部は、モード選択手段が複合出力モードを選択している場合に、第１指示位置で遮断されているＸ走査光路とＹ走査光路を除き、遮断されるＸ走査光路とＹ走査光路から第２指示位置のＸ座標とＹ座標を検出し、出力手段から出力する第２指示位置情報とすることを特徴とする。
【００２０】
第１指示位置を指示入力すると、第１指示位置においてＸ走査光路とＹ走査光路が遮断されることから、第１指示位置のＸ座標とＹ座標が検出され、モード選択手段が単一出力モードを選択している場合には、第１指示位置のＸ座標とＹ座標を表す第１指示位置情報が出力される。
【００２１】
モード選択手段が複合出力モードを選択している場合には、第１指示位置において遮断されるＸ走査光路とＹ走査光路を除いて、遮断されるＸ走査光路とＹ走査光路から第２指示位置のＸ座標とＹ座標を検出し、第１指示位置情報に加えて、第２指示位置のＸ座標とＹ座標を表す第２指示位置情報が出力される。
【００２２】
第１指示位置と第２指示位置は、それぞれ他の指示位置による光路遮断の影響を受けずに、独立してＸ、Ｙ方向の１箇所の光路が遮断される位置から検出できるので、同時に２種類の第１指示位置情報と第２指示位置情報を出力できる。
【００２３】
請求項２の光学式タッチパネル入力装置は、指示入力エリアに、それぞれ所定の出力データが対応づけられたデータ変換エリアが設定され、指示位置がデータ変換エリアにあるときに、指示位置を表す第１指示入力情報若しくは第２指示入力情報を、そのデータ変換エリアに対応づけられた出力データに変換して出力手段から出力することを特徴とする。
【００２４】
データ変換エリア内を指示入力すると、そのデータ変換エリアに対応づけられた出力データが出力される。
【００２５】
複合モードでは、２種類の出力データが同時に出力されるので、同時に出力される２種類の出力データを組み合わせて更に他の種類の出力データとすることができ、指示入力エリアに設定したデータ変換エリアの数以上の多種類の出力データを出力できる。
【００２６】
請求項３の光学式タッチパネル入力装置は、モード選択手段が、第１指示位置が、指示入力エリア内に予め設定した二重押しエリアにあるときに複合出力モードとし、二重押しエリア外にあるときに単一出力モードとすることを特徴とする。
【００２７】
第１指示位置を二重押しエリア内とするだけで、複合出力モードに移行するので、モード選択の為に別の入力操作を行う必要がなく、またモード選択手段としての部品を用意する必要がない。
【００２８】
請求項４の光学式タッチパネル入力装置は、二重押しエリア内に設定された第１データ変換エリアに対応づけられた第１出力データと、第１データ変換エリアのＸ方向若しくはＹ方向で、二重押しエリア外に設定された第２データ変換エリアに対応づけられた第２出力データとは、出力データを処理するプログラムで、同時に出力することが禁止される出力データであることを特徴とする。
【００２９】
第２データ変換エリアを指示入力されると、第１指示位置は、二重押しエリア外であるので、第２出力データが出力される。第１データ変換エリアを指示入力すると、第１指示位置は、二重押しエリア内であるので複合出力モードに移行するが、Ｘ方向若しくはＹ方向の同列にある第２データ変換エリアの指示位置は検出されない。Ｘ方向若しくはＹ方向に重ねて設定される２箇所のデータ変換エリアから、同時に第１出力データと第２出力データが出力されることはないので、出力データを処理するプログラムにおいて、同時出力を禁止する必要がない。
【００３０】
請求項５の光学式タッチパネルの出力方法は、（ａ）指示入力エリアに、Ｘ方向に所定の間隔を隔てて複数のＸ走査光路とＸ方向と直交するＹ方向に所定の間隔を隔てて複数のＹ走査光路を形成し、（ｂ）いずれかのＸ走査光路とＹ走査光路が指示入力により遮断されることから、指示入力エリアにおける第１指示位置のＸ座標とＹ座標を検出し、（ｃ）第１指示位置が、指示入力エリア内に予め設定した二重押しエリアにあるかどうかを判別し、（ｄ）第１指示位置情報が二重押しエリア内にあるときに、第１指示位置で遮断されているＸ走査光路とＹ走査光路を除き、遮断されるＸ走査光路とＹ走査光路から第２指示位置のＸ座標とＹ座標を検出し、第１指示位置のＸ座標とＹ座標を表す第１指示位置情報と、第２指示位置のＸ座標とＹ座標を表す第２指示位置情報を同時に出力し、（ｅ）第１指示位置が二重押しエリア外の指示入力エリアにあるときに、第１指示位置のＸ座標とＹ座標を表す第１指示位置情報のみを出力することを特徴とする。
【００３１】
いずれかのＸ走査光路とＹ走査光路が遮断されることから検出した第１指示位置が二重押しエリア外にあるときには、第１指示位置情報のみが出力され、二重押しエリア内にあるときには、第１指示位置情報と第２指示位置情報が出力される。
【００３２】
第２指示位置は、第１指示位置で遮断されるＸ走査光路とＹ走査光路を除き、遮断されるＸ走査光路とＹ走査光路から検出されるので、第１指示位置による光路遮断の影響を受けずに検出される。
【００３３】
【発明の実施の形態】
図１乃至図６は、カジノにおいてルーレットの予想数字を入力する入力装置として用いられる本発明の一実施の形態に係る光学式タッチパネル入力装置１を示すもので、図５と図６に示すように、光学式タッチパネル入力装置１は、ケース３の開口に設定される指示入力エリア９Ａへの指、ペン等による指示入力と、その指示入力位置を検出する為に、指示入力エリア９Ａの周囲に沿って配置される多数の発光素子７と受光素子８を備えている。
【００３４】
図５に示すように、発光素子７は、指示入力エリア９Ａ周囲の直交するＸ方向とＹ方向に沿って内向きに等間隔に配置され、対をなす受光素子８は、指示入力エリア９Ａを挟み、対となる発光素子７と対向するケース３内に配置される。
【００３５】
ケース３の指示入力エリア９Ａの下方には、液晶表示パネル４とその表面を保護する透明ガラス基板５が積層配置され、液晶表示パネル４は、指示入力の用途に応じ、その表示領域へ複数の表示６、６（例えばＸ５、Ｘ３、赤、２５−３６等）を表示し、操作者はこの表示６を目安に指示入力を行う。
【００３６】
Ｘ、Ｙ方向に配列された各発光素子７は所定のタイミングで順次発光走査され、指示入力エリア９Ａには、図５の一点鎖線で示すように、網目状のＸ走査光路とＹ走査光路が形成される。この指示入力エリア９Ａ内に、操作者がペン若しくは指１１をおいて指示入力すると、その指示入力位置を通過するＸ、Ｙ方向の光ビームが遮断される。
【００３７】
その結果、その光路上にある受光素子８は、それぞれ対となる発光素子７の発光タイミングで発光素子７の光ビームを受光しないこととなるので、これにより、操作者の指示入力と、その指示入力位置を表すＸ、Ｙ座標が検出され、指示位置のＸ、Ｙ座標を表す指示位置情報が出力される。
【００３８】
指示入力エリア９Ａには、ルーレットの入力装置に関する所定の出力データが対応づけられたデータ変換エリア１３（図中破線で表示）が仮想設定されている。データ変換エリア１３は、その出力データを表す表示６の表示位置上でＸ、Ｙ座標で表される長方形の輪郭でその周囲としきられ、そのデータ変換エリア１３内のＸ、Ｙ座標を表す指示位置情報を検出すると、データ変換エリア１３に対応づけられた出力データが出力される。
【００３９】
従って、操作者は、透明ガラス基板５を通して表示６を見ながら、その上方の指示入力エリア９Ａへ指若しくはペンを挿入することにより、表示６が表す所定の出力データを出力させることができる。
【００４０】
この光学式タッチパネル入力装置１では、指示入力エリア９Ａのいずれかの位置でＸ走査光路とＹ走査光路が遮断されてから、全てのＸ走査光路とＹ走査光路の遮断が解除されるまでを、一回の指示入力操作が行われた期間とみなし、一回の指示入力操作で、単一の指示位置情報若しくは出力データを出力する単一出力モードと、２種類の指示位置情報若しくは出力データを出力する複合出力モードのいずれかで動作する。
【００４１】
いずれかのモードは、モード選択手段により選択できるようになっていて、ここでは、指示位置が、指示入力エリア９Ａに設定された二重押しエリア１０内ににあるときに複合出力モードに、二重押しエリア１０外にあるときに単一出力モードに移行する。
【００４２】
以下、光学式タッチパネル入力装置１の単一出力モードと複合出力モードを図１乃至図４で説明する。
【００４３】
図１は、二重押しエリア１０外の指示位置を指示入力し、単一出力モードで動作とした光学式タッチパネル入力装置１を示し、ルーレットのプレーヤーである操作者が「２９」を予想し、「２９」を指示入力した例を示している。
【００４４】
「２９」の表示６上の指示入力エリア９Ａを指示入力すると、Ｘ６、Ｙ２の走査光路が遮断され、その光路上の受光素子８が光ビームを受光しないことから、（Ｘ６、Ｙ２）の指示位置が検出され、これらのＸ、Ｙ座標を表す第１指示位置情報が検出される。尚、本実施の形態では、説明の便宜上Ｘ、Ｙ方向でそれぞれ１本の光ビームが遮断された位置から指示位置を検出するものとしているが、隣接する複数本の光ビームが同時に遮断されたときには、その中央の光ビームが遮断されたものとして、指示位置を検出する。
【００４５】
「２９」の表示６上の指示入力エリア９Ａには、「２９」の出力データが対応づけられたデータ変換エリア１３が設定され、第１指示位置情報から変換した「２９」の出力データが出力される。
【００４６】
この指示入力による指示位置のＸ、Ｙ座標は（Ｘ６、Ｙ２）であり、二重押しエリア１０外であるので単一出力モードで動作し、「２９」の出力データのみが出力される。これにより、ルーレットの賭と清算を処理するプログラムは、操作者の指示入力を、「２９」の予想に「１コイン」を賭けたものとして処理する。
【００４７】
図２、図３は、二重押しエリア１０内の指示位置を指示入力し、複合出力モードで動作とした光学式タッチパネル入力装置１を示し、ルーレットのプレーヤーである操作者が「２９」を予想し、「２９」に対して３倍のコインを賭ける指示入力を行った例を示している。
【００４８】
二種類の出力データを出力する複合出力モードとする場合には、図２に示すように、始めに二重押しエリア１０内を指示入力し、ここでは、二重押しエリア１０内の「Ｘ３」の表示６上の指示入力エリア９Ａを指示入力する。
【００４９】
この指示入力により、Ｘ２、Ｙ６の走査光路が遮断されたとすると、その光路上の受光素子８が光ビームを受光しないことから、（Ｘ２、Ｙ６）の第１指示位置が検出され、これらのＸ、Ｙ座標を表す第１指示位置情報が検出される。
【００５０】
第１指示位置情報は、「Ｘ３」の表示６上の指示入力エリア９Ａに設定されたデータ変換エリア１３により、「Ｘ３」の出力データに変換される。また、第１指示位置情報で表される第１指示位置のＸ、Ｙ座標（Ｘ２、Ｙ６）が二重押しエリア１０内にあることから、複合出力モードに移行し、指示入力エリア９Ａ内の他の第２指示位置を検出するための二次検出を実行する。
【００５１】
二次検出は、図３に示すように、二重押しエリア１０内の第１指示位置で遮断されたＸ、Ｙ方向の走査光路、すなわちＸ２とＹ６の走査光路（図中破線で表示）を除く他の走査光路において、Ｘ、Ｙ方向の走査光路が遮断される位置から、第２指示位置のＸ、Ｙ座標を検出する。「２９」の表示６上を指示入力しているとすれば、Ｘ６、Ｙ２の走査光路が遮断されるので、（Ｘ６、Ｙ２）の第２指示位置が検出され、これらのＸ、Ｙ座標を表す第２指示位置情報が検出される。
【００５２】
第２指示位置情報は、「２９」の表示６上に設定されたデータ変換エリア１３により「２９」の出力データに変換されるが、この複合出力モードでは、前述した第１指示位置情報から変換された「Ｘ３」の出力データと共に出力される。
【００５３】
これにより、ルーレットの賭と清算を処理するプログラムは、「Ｘ３」と「２９」の出力データが同時に入力されることから、操作者の指示入力を、「２９」の予想に「３倍のコイン」を賭けたものとして処理する。
【００５４】
このように、本実施の形態によれば、走査光路の遮断位置から指示位置を検出する光学式でありながら、２箇所の指示位置を検出して、その指示位置をそれぞれ表す２種類の出力データを同時に出力することができる。
【００５５】
尚、本発明によれば、２箇所の指示位置を検出するために、第１指示位置を含むＸ、Ｙ方向の走査光路では、第２指示位置を検出しないが、このことを利用して、光学式タッチパネル入力装置から出力される出力データを処理するプログラムにおいて、同時に出力することが禁止される２種類のデータを、予めＸ、Ｙ方向の同一行若しくは列に設定されたデータ変換エリア１３にそれぞれ対応づけておけば、プログラム上で禁止処理することを要しない。
【００５６】
例えば、ルーレットの賭と清算を処理するプログラムにおいて、「赤」又は「黒」には、５倍のコインを賭けることが禁止されているものとして、図４に示す光学式タッチパネル入力装置１では、「赤」又は「黒」の出力データが対応づけられたデータ変換エリア１３と、「Ｘ５」の出力データが対応づけられたデータ変換エリア１３を、Ｙ方向で同じ行のＹ５上に設定する。
【００５７】
操作者が「黒」に「１コイン」を賭けるために、図４に示す「黒」の表示６を指示入力した場合には、（Ｘ１５、Ｙ５）の指示位置が検出されて単一出力モードで動作し、（Ｘ１５、Ｙ５）を表す指示位置情報からデータ変換エリア１３により「黒」の出力データのみが出力される。
【００５８】
また、操作者が「黒」に「５倍のコイン」を賭けようとして、図４に示す「Ｘ５」の表示６を指示入力した場合には、（Ｘ２、Ｙ５）の第１指示位置が検出されて複合出力モードに移行するが、更に「黒」の表示６を指示入力しても、２次検出においてＹ５の走査光路上の遮断位置は検出しないので、「黒」の指示位置は検出されない。従って、「黒」と「Ｘ５」の出力データは、同時に出力されることがなく、これらが同時に入力された際の禁止処理をプログラム上で行う必要がない。
【００５９】
上述の実施の形態では、指示入力エリア９Ａに対する最初の指示位置で単一出力モードと複合出力モードが自動的に選択されるようにしたが、操作スイッチ等のモード選択手段を設けて、操作者が指示入力前に操作スイッチを操作して、単一出力モードと複合出力モードを選択するようにしてもよい。
【００６０】
また、指示入力エリア９Ａのいずれかに、単一出力モード若しくは複合出力モードのモード切り換えデータ自体を対応づけたデータ変換エリア１３を設定し、指示入力により単一出力モードと複合出力モードを切り換えてから、その後切り換えたモードで、指示位置情報若しくは出力データを出力させるものであってもよい。
【００６１】
また、指示入力エリア９Ａに必ずしもデータ変換エリア１３を設定する必要はなく、データ変換エリア１３が設定されていない位置を指示入力した場合には、指示位置情報を出力してもよく、複合出力モードにおいて、２種類の出力データの少なくとも一方が指示位置情報であってもよい。
【００６２】
【発明の効果】
以上説明したように、請求項１と請求項５の発明によれば、同時に２箇所の指示位置を指示入力し、それぞれの指示位置を表す２種類の指示位置情報を出力することができる。
【００６３】
請求項２の発明によれば、更に、設定されたデータ変換エリアを指示入力するだけで、表示などに合わせた所定の出力データを出力でき、特に、複合モードでは、１種類の出力データとは別に、２種類の出力データを同時に出力できるので、２種類の出力データを組み合わせて更に他の種類の出力データとすることができ、指示入力エリアに設定したデータ変換エリアの数以上の多種類の出力データを出力できる。
【００６４】
また、請求項３の発明によれば、更に、二重押しエリア内を指示入力するだけで、複合出力モードとすることかでき、モード選択の為に別の入力操作を行う必要がなく、またモード選択手段としての切り換え部品を用意する必要がない。
【００６５】
また、請求項４の発明によれば、更に、Ｘ方向若しくはＹ方向に重ねて設定される２箇所のデータ変換エリアのそれぞれから、同時に出力データが出力されることはないので、出力データを処理するプログラムにおいて、同時出力を禁止する必要がない。
【図面の簡単な説明】
【図１】本発明に係る光学式タッチパネル入力装置１の単一出力モードの動作を説明する平面図である。
【図２】光学式タッチパネル入力装置１の複合出力モードに移行する動作を説明する平面図である。
【図３】光学式タッチパネル入力装置１の複合出力モードにおける二次検出動作を説明する平面図である。
【図４】２種類の出力データの同時出力を禁止する動作を説明する光学式タッチパネル入力装置１の平面図である。
【図５】光学式タッチパネル入力装置１の斜視図である。
【図６】光学式タッチパネル入力装置１の縦断面図である。
【図７】従来の光学式タッチパネル入力装置１００の平面図である。
【符号の説明】
１          光学式タッチパネル入力装置
７          発光素子（座標検出部）
８          受光素子（座標検出部）
９Ａ        指示入力エリア
１０        二重押しエリア
１３        データ変換エリア
【図１】
2004318257.tif 000003
【図２】
2004318257.tif 000004
【図３】
2004318257.tif 000005
【図４】
2004318257.tif 000006
【図５】
2004318257.tif 000007
【図６】
2004318257.tif 000008
【図７】
2004318257.tif 000009